(57)【要約】【課題】電子機器の防塵機構を構成する部材に指や物等が不用意に接触しても、それら部材が外れたり、あるいは破損してしまう恐れがない電子機器の防塵機構を提供する。【解決手段】電子機器１の外形を構成する筐体２の内部に内部スイッチ５が配され、筐体２に内部スイッチ５を操作するための開口部２ｃを有する電子機器１において、開口部２ｃを開閉するシャッター板６と、該シャッター板６を筐体２との間でスライド自在に挟持する押え板７を備え、筐体２には、前記シャッター板６のスライド領域を形成するスライド凹部２ｄが穿設されている。シャッター板６は、操作部６ａが操作されて筐体２と押え板７との間でスライドすることで、開口部２ｃの開閉を自在におこなうことができる。【選択図】図３
2006173149.tif 000002
【特許請求の範囲】
【請求項１】
電子機器の外形を構成する筐体の内部に内部スイッチが配され、前記筐体に内部スイッチを操作するための開口部を有する電子機器において、
前記開口部を開閉するシャッター板と、該シャッター板を前記筐体との間でスライド自在に挟持する押え板を備え、前記筐体およびまたは前記押え板には、前記シャッター板のスライド領域を形成するスライド凹部が穿設されていることを特徴とする電子機器の防塵機構。
【請求項２】
前記シャッター板は、該シャッター板をスライドさせるために操作する操作部を有し、前記押え板には、前記操作部を挿通する挿通口部と、前記開口部に連通する連通口部が形成されていることを特徴とする請求項１に記載の電子機器の防塵機構。
【発明の詳細な説明】
【技術分野】
【０００１】
本発明は、電子機器の筐体内部に塵埃等が侵入するのを防止する電子機器の防塵機構に関するものである。
【背景技術】
【０００２】
電子機器の中には、機器内部に各種内部スイッチが配設されているものがあり、そのような電子機器の筐体には、内部スイッチを筐体外より操作するための開口部が形成されている。そして、従来、このような電子機器においては、開口部から塵埃等が侵入するのを防ぐための防塵機構が設けられており、内部スイッチの操作時にのみ開口部を開放できるように構成されている。
【０００３】
従来における電子機器の防塵機構の一例として、実開平５−７８２９５号公報には、ラジオコントロール装置の受信機における防塵機構が開示されている。
図６乃至図８は、上記特許文献に開示のラジオコントロール装置の受信機（以下、ラジオコントロール受信機という）を示したものであって、図６は、ラジオコントロール受信機の平面図、図７は、その右側面図、図８は、カバーを開放した状態を示した平面図である。
【０００４】
図に示すように、ラジオコントロール受信機１０は、外形が略箱状の筐体２０で構成され、筐体２０の側面には、電源用電池あるいは被操縦体の可動部を可動させるサーボ装置と接続される端子部３０が設けられているとともに、線状アンテナ４０が筐体２０内部より導出されている。
また、筐体２０の内部には、受信回路を構成する図示されない回路基板が配設されており、該回路基板上には、ラジオコントロール受信機１０での受信周波数を切り換えるための一対のロータリー式ディップスイッチ（以下、ディプスイッチという）５０が内部スイッチとして配設されている。そして、筐体２０には、ディップスイッチ５０と対応する位置に、該ディップスイッチ５０を外方に臨ませるように開口部２０ａが形成されている。
【０００５】
また、開口部２０ａ上には、樹脂材料等により形成された半透明のカバー６０がスライド自在に取り付けられている。このカバー６０は、全体が開口部２０ａを覆うような大きさで略矩形状に形成されており、短辺方向の断面が略台形形状とされて長辺方向にわたり中央面が一段突出した形状とされているとともに、短辺方向両側面には、ガイド溝６０ａが形成されている。
一方、前記筐体２０の開口部２０ａには、開口部２０ａの短辺方向に沿って凸部２０ｂが形成されている。そして、前記凸部２０ｂにカバー６０のガイド溝６０ａを係合させ介着することにより、カバー６０を筐体２０に対してスライドできる構成とされている。
【０００６】
このような構成において、ディップスイッチ５０を操作する場合には、カバー６０をスライドさせて開くことにより、ディップスイッチ５０を操作できる状態にすることができる。また、ディップスイッチ５０を操作する必要がない場合には、カバー６０を閉じておくことにより、外部からの塵埃等の侵入を防ぐことができるようになっている。
【０００７】
【特許文献１】実開平５−７８２９５号公報
【発明の開示】
【発明が解決しようとする課題】
【０００８】
ところで、このような電子機器の防塵機構は、カバー全体が電子機器の筐体上に表出した状態で取り付けられているため、カバーに指や物等が不用意に接触しまうことが多く、その際、過剰な負荷が加わった場合には、カバーが外れてしまったり、あるいは、カバーが破損してしまう問題が生じていた。
【０００９】
また、近年の技術の進展に伴い、電子機器を構成する各種電子部品が小型化され、同一機能を有する電子機器自体の大きさも年々小型化してきている。
しかしながら、前述のような電子機器の防塵機構では、カバー全体が筐体上に取り付けられている関係上、その部分が筐体同一面内の他の表面よりも一段突出した状態となるため、電子機器自体の小型化を妨げる要因になっていた。
【００１０】
そこで、本発明は、上記問題点に鑑みてなされたものであって、電子機器の防塵機構を構成する部材に対して、指や物等が不用意に接触しても、それら部材が外れてしまったり、あるいは破損してしまう恐れがない電子機器の防塵機構を提供することを目的とする。
【課題を解決するための手段】
【００１１】
上記目的を達成するため、本発明による電子機器の防塵機構は、電子機器の外形を構成する筐体の内部に内部スイッチが配され、前記筐体に内部スイッチを操作するための開口部を有する電子機器において、前記開口部を開閉するシャッター板と、該シャッター板を前記筐体との間でスライド自在に挟持する押え板を備え、前記筐体およびまたは前記押え板には、前記シャッター板のスライド領域を形成するスライド凹部が穿設されていることを特徴とする。
【００１２】
また、上記の電子機器の防塵機構において、前記シャッター板は、該シャッター板をスライドさせるために操作する操作部を有し、前記押え板には、前記操作部を挿通する挿通口部と、前記開口部に連通する連通口部が形成されていることを特徴とする。
【発明の効果】
【００１３】
本発明による電子機器の防塵機構は、電子機器の筐体の開口部の開閉をおこなうシャッター板が押え板で覆われた状態でスライド可能とされ、開口部の開閉を自在におこなうことができることにより、電子機器における防塵機構の強度的な耐久性を確保することができ、それらを構成する部材に指や物等が不用意に接触して過大な負荷が加わった場合でも、シャッター板が外れたり、破損してしまうのを防止することができるという利点がある。
【００１４】
また、本発明による電子機器の防塵機構は、電子機器の筐体上に平坦な形状で構成されるため、電子機器の小型化を図ることができるという利点がある。
【発明を実施するための最良の形態】
【００１５】
本発明を実施するための最良の形態に係わる電子機器の防塵機構は、電子機器の外形を構成する筐体の内部に内部スイッチが配され、前記筐体に内部スイッチを操作するための開口部を有する電子機器において、前記開口部を開閉するシャッター板と、該シャッター板を前記筐体との間でスライド自在に挟持する押え板を備え、前記筐体およびまたは前記押え板には、前記シャッター板のスライド領域を形成するスライド凹部が穿設されている。
以下、本実施形態に係わる電子機器の防塵機構をラジオコントロール装置の受信機に実施した例（以下、本実施例という）について、図面を参照しながら説明する。
【実施例】
【００１６】
図１は、本実施例によるラジオコントロール装置の受信機（以下、受信機という）を示す平面図、図２は、その右側面図であり、図３は、本実施例による受信機の防塵機構に係わる構成を示す分解斜視図である。
【００１７】
図１乃至図３に示すように、本実施例による受信機１は、外形が略箱状の筐体２を有している。筐体２は、該筐体２の前面及び側面を形成するケース本体２ａと、筐体２の底面を形成する底蓋２ｂとから構成され、一端を係止片と係合孔によって係合し、他端をネジ等で固定することにより一体に構成されている。
筐体２の側面には、電源用電池あるいは被操縦体の可動部を可動させるサーボ装置と接続される端子部３が設けられているとともに、線状アンテナ４が筐体２内部より導出されている。
【００１８】
また、図３に示すように、筐体２の内部には、受信回路を構成する図示されない回路基板が配設されており、該回路基板上には、受信機１での受信周波数を切り換えるための一対のロータリー式ディップスイッチ（以下、ディプスイッチという）５が内部スイッチとして配設されている。ケース本体２ａの前面には、回路基板上に配設されたディップスイッチ５と対応する位置に略矩形状の開口部２ｃが形成されており、該開口部２ｃよりディップスイッチ５が外方に臨まされている。
【００１９】
そして、本実施例による受信機1の防塵機構として、ケース本体２ａの前面には、開口部２ｃの開閉をおこなうスライド式のシャッター板６と、該シャッター板６をケース本体２ａとの間でスライド自在に挟持する押え板７が備えられているとともに、開口部２ｃの周辺において、シャッター板６のスライド領域を形成するスライド凹部２ｄが穿設されている。
【００２０】
シャッター板６は、樹脂材料等により形成された透明又は半透明な板状部材からなり、その外形サイズは、開口部２ｃよりも若干大きく、シャッター板６により開口部２ｃを閉鎖した際に開口部２ｃ全体を覆うことができる形状とされている。また、シャッター板６の前面の一端部には、該シャッター板６をスライドさせる際に操作する操作部６ａが立設されている。
【００２１】
スライド凹部２ｄは、前記シャッター板６を受容し、ケース本体２ａの開口部２ｃ周辺において、前記シャッター板６を直線的にスライドさせることで開口部２ｃの開閉を自在におこなうことができる形状に穿設されている。
すなわち、本実施例では、シャッター板６を該シャッター板６の長手方向にスライド自在とさせて開口部２ｃの開閉をおこなうようにするため、スライド凹部２ｄは、短手方向の長さをシャッター板６の短手方向の長さと略同等にし、長手方向の長さを開口部２ｃの長手方向の長さの略二倍として、ケース本体２ａの表面よりシャッター板６の厚みと略同等の深さで穿設されている。
このため、ケース本体２ａの表面とシャッター板６の表面が同一面になるようにシャッター板６がスライド凹部２ｄに受容され、シャッター板６のスライド方向をスライド凹部２ｄの長手方向の側面が規制し、また、シャッター板６のスライド範囲をスライド凹部２ｄの短手方向の側面が規制することになり、シャッター板６の長手方向の側面がスライド凹部２ｄの長手方向の側面に当接しながらスライド凹部２ｄ内において直線的にスライドすることで、開口部２ｃの開閉を自在におこなうことができるようになっている。
【００２２】
押え板７は、金属材料等により形成された外形が略矩形状の板状部材からなり、該押え板７には、ディップスイッチ５の位置に対応して開口部２ｃに連通する連通口部７ａが形成されているとともに、シャッター板６の操作部６ａを挿通する挿通口部７ｂが形成されている。
【００２３】
そして、本実施例における受信機１の防塵機構は、シャッター板６をケース本体２ａのスライド凹部２ｄに受容させた状態で押え板７がケース本体２ａに接着紙等により接着固定されていることで構成される。
【００２４】
このような構成において、シャッター板６の操作部６ａを挿通口部７ｂ内で直線的に移動させることにより、シャッター板６をケース本体２ａ上に形成されたスライド凹部２ｄに沿ってスライドさせ、ディップスイッチ５が開口部２ｃを介して連通口部７ａから露出する位置と、ディップスイッチ５が開口部２ｃを介して連通口部７ａから露出しない位置との２つの位置に選択的に配置することができる。
【００２５】
図４は、シャッター板６を開放した状態を示す平面図、図５は、シャッター板６を閉鎖した状態を示す平面図である。なお、両図において、押え板７にはハッチングを施してある。
【００２６】
すなわち、ディップスイッチ５を操作する場合には、図４に示すように、操作部６ａを端子部３側へ移動させてディップスイッチ５を開口部２ｃを介して連通口部７ａに露出させ、ディップスイッチ５を操作可能な状態にすることができる。
一方、ディップスイッチ５を操作しない場合には、図５に示すように、操作部６ａを線状アンテナ４側へ移動させてディップスイッチ５をシャッター板６により露出しないように保護し、外部から塵埃等が筐体２内に入り込まないようにすることができる。
【００２７】
また、シャッター板６は、透明または半透明な板状部材であるため、上記のようにシャッター板６によりディップスイッチ５を露出しないように保護している状態では、シャッター板６越しに内部を透視することができ、ディップスイッチ５の操作状態を確認することができる。
【００２８】
そして、このように構成された本実施例による受信機１の防塵機構においては、開口部２ｃ及び連通口部７ａの開閉をおこなうシャッター板６が押え板７で覆われているため、強度的な耐久性を確保することができ、シャッター板６あるいは押え板７に指や物等が不用意に接触して過剰な負荷が加わった場合でも、シャッター板６が外れたり、あるいは破損してしまうのを防止することができる。また、防塵機構が平坦な形状で構成されるため、受信機の小型化を図ることができる。
【００２９】
なお、シャッター板６の一角部には凸部６ｂが形成されているとともに、該凸部６ｂが形成されている短辺側の一部は長手方向に切り欠きされている。また、スライド凹部２ｄには、シャッター板６を開放した状態においてシャッター板６の凸部６ｂが係合する第１凹部２ｅと、シャッター板６を閉鎖した状態において凸部６ｂが係合する第２凹部２ｆが形成されている。
このため、シャッター板６を開放した状態（図４に示す状態）においては、シャッター板６の凸部６ｂは、スライド凹部２ｄの第１凹部２ｅに係合することになり、その状態が維持される。また、シャッター板６を閉鎖した状態（図５に示す状態）においては、シャッター板６の凸部６ｂは、スライド凹部２ｄの第２凹部２ｆに係合することになり、その状態が維持される。したがって、シャッター板６は、一旦開放または閉鎖した状態となると、不用意な接触や振動により簡単にスライドしない。
【００３０】
さらに、シャッター板６が第１凹部２ｅから第２凹部２ｆにスライドする際に、シャッター板６の凸部６ｂはスライド凹部２ｄの側面を押圧しながらスライドすることになる。
このため、操作部６ａを操作してシャッター板６をスライドさせる際には、適度な摩擦力を保持しながらガタツキなくスライドさせることができ、操作性が良い。
【００３１】
また、シャッター板６における一方の短辺は、前記ディップスイッチ５に対応して略半円状に切り欠き６ｃが形成されており、シャッター板６をスライドさせて連通口部７ａを開閉する際に、そのスライド範囲を極力少なくするようにしている。
【００３２】
なお、押え板７の前面には、受信機１の型番名等とともに、連通口部７ａに対応した位置にディップスイッチ５の操作指標となる文字や数字等が表記されており、ディップスイッチ５の操作を補助する機能を果たしている。
【００３３】
以上、本発明の電子機器の防塵機構を図示の実施例に基づいて説明したが、本発明はこれに限定されるものではなく、各部の構成は、同様の機能を有する任意の構成のものに置換することができる。また、本発明に任意の構成物が付加されていてもよい。
【００３４】
例えば、上記実施例において、シャッター板のスライド領域を形成するスライド凹部は、筐体側に形成されていたが、本発明による電子機器の防塵機構では、これに限らず、シャッター板を筐体との間で挟持する押え板側に、あるいは、筐体側と押え板側の両方に形成されていてもよい。
【００３５】
また、上記実施例において、シャッター板のスライド領域を形成するスライド凹部は、受信機の筐体の長手方向にスライドするような形状に穿設されていたが、これに限らず、シャッター板が短手方向にスライドするような形状にスライド凹部が穿設されていてもよい。このような形態であっても、本発明の目的とする課題に対して同様の効果を得ることができる。
【００３６】
なお、本発明による電子機器の防塵機構は、上述のようなラジオコントロール受信機に限らず、各種民生、産業用の電子機器においても適用可能である。
【図面の簡単な説明】
【００３７】
【図１】本実施例によるラジオコントロール装置の受信機を示す平面図である。
【図２】同右側面である。
【図３】本実施例による受信機の防塵機構に係わる構成を示す分解斜視図である。
【図４】シャッター板を開放した状態を示す平面図である。
【図５】シャッター板を閉鎖した状態を示す平面図である。
【図６】従来のラジオコントロール受信機を示す平面図である。
【図７】同右面図である。
【図８】カバーを開放した状態を示す平面図である。
【符号の説明】
【００３８】
１    ラジオコントロール装置の受信機
２    筐体
３    端子部
４    線状アンテナ
５    ロータリー式ディップスイッチ
６    シャッター板
７    押え板
【図１】
2006173149.tif 000003
【図２】
2006173149.tif 000004
【図３】
2006173149.tif 000005
【図４】
2006173149.tif 000006
【図５】
2006173149.tif 000007
【図６】
2006173149.tif 000008
【図７】
2006173149.tif 000009
【図８】
2006173149.tif 000010